(57)【要約】      （修正有）【課題】ビジネスゾーンにおけるゴルファーの腰と肩の動きを矯正するスイング矯正装置を提供する。【解決手段】スイング矯正装置は、ベースプレート１０Ａと、ベースプレートに引張コイルばね３０を介し取着した滑車２０と、滑車に掛け回す１本のロープ４０とを備える。プレート上で、ロープの両端側を手で掴み、滑車に正対してアドレスし、両肩、両腕、ロープが滑車を頂点とする二等辺三角形を形成する基本姿勢から、ビジネスゾーンの範囲で、前傾姿勢を維持し、ロープの緊張を保持して、腕Ａ１,Ａ２を曲げ伸ばしするが、両肩Ｓ１,Ｓ２と滑車を頂点とする三角形を崩さないように、腰の回転と肩のスタンス方向に沿った縦回転を連係させることで、腰と肩の動きが矯正される。【選択図】図２
0003212056.tif 000002
【実用新案登録請求の範囲】
【請求項１】
その上でゴルファーがアドレスに対応する基本姿勢をとることのできる所定の大きさの平坦なベースプレートと、前記ベースプレートの上面所定位置に引張コイルばねを介し取着された滑車と、前記滑車に掛け回す１本のロープと、を備えたことを特徴とするゴルフスイング矯正装置。
【請求項２】
前記ベースプレートは、重ね合わせた一端側を連結する枢着軸周りに揺動して開閉自在な、ゴルファーの左右それぞれの足を載置する所定幅で所定長さの左右一対の足載置プレートで構成され、前記左右一対の足載置プレート間には、該足載置プレートの他端側を所定距離離間した形態に固定保持するスタンス幅調整機構が設けられるとともに、前記重ね合わせた上面側の足載置プレートにおける、前記枢着軸の近傍に前記滑車が取着されたことを特徴とする請求項１に記載のゴルフスイング矯正装置。
【請求項３】
少なくとも補助者の片足を乗せることのできる程度のコンパクトな平坦なベースプレートと、前記ベースプレートの上面所定位置に引張コイルばねを介し取着された滑車と、前記滑車に掛け回す１本のロープと、を備えたことを特徴とするゴルフスイング矯正装置。
【請求項４】
前記ベースプレートには、地中に打ち込む杭によって掛止される被掛止部が設けられた請求項３記載のゴルフスイング矯正装置。
【請求項５】
前記滑車にその一端側が接続された前記引張コイルばねの他端側に、前記ベースプレート側に設けたフック被係合部と係合・係合解除可能な前記フックが設けられて、滑車・ばねユニットが構成されるとともに、前記滑車・ばねユニットが前記ベースプレートに取り外し自在に取着されたことを特徴とする請求項１〜４のいずれかに記載のゴルフスイング矯正装置。
【請求項６】
前記ベースプレートの底面には、該ベースプレートを載置する領域の凹凸を吸収できる少なくとも３個の突起が設けられたことを特徴とする請求項１〜５のいずれかに記載のゴルフスイング矯正装置。
【請求項７】
滑車本体である円盤状回転輪がフレームによって支承された滑車と、前記滑車のフレームに引張コイルばねを介して取着一体化されたフックと、前記円盤状回転輪に掛け回す１本のロープと、を備えたことを特徴とするゴルフスイング矯正装置。
【請求項８】
前記引張コイルばねのばね定数は、上級者仕様に対応する最大値を基準として、初心者仕様ほど小さくなるように設定されたことを特徴とする請求項１〜７のいずれかに記載のゴルフスイング矯正装置。
【考案の詳細な説明】
【技術分野】
【０００１】
本考案は、ゴルフスイング矯正装置に係り、特に、スイングの腰から腰までの範囲（以下、ビジネスゾーンという）における上半身および下半身の動きを矯正するためのスイング矯正装置に関する。
【背景技術】
【０００２】
下記特許文献には、腰ベルト1と、両側の足に装着する一対の足ベルト2,2と、首にかけた状態で両端を足ベルト2,2に連結し、途中を腰ベルト1の環7,8に移動自在となるよう挿通する長尺ロープ3と、一方の足ベルト2と腰ベルト1の間に取り付ける短尺ロープ4で構成されたゴルフスイング矯正装置が記載されている。
【０００３】
そして、本矯正装置によれば、バックスイングでは、短尺ロープ4によりひざの伸びが矯正され、トップからダウンスイング、インパクト、フォロースローまで、前頃姿勢と頭の高さが長尺ロープ3によって固定されて、スイング時の正しい体の動きを習得できる。
【先行技術文献】
【特許文献】
【０００４】
【特許文献１】特開平10-277192
【考案の概要】
【考案が解決しようとする課題】
【０００５】
しかし、前記特許文献１では、ゴルファーの前頃姿勢と頭の高さが固定され、ひざの伸びも矯正されることで、下半身では腰および脚、上半身では頭の上下位置が矯正されるものの、肩の動きを矯正するようにはなっていない。
さらに、ゴルフのスイングでは、下半身（腰）の回転と上半身（肩）の縦回転が連係して動作することが重要であるが、そのような連係動作を矯正するようにもなっていない。
【０００６】
本考案は、前記した従来技術の問題点に鑑みてなされたもので、その目的は、腰の回転に合わせて肩がスタンスに沿ってスムーズに縦回転する、ビジネスゾーンにおける適正なスイングフォームを習得できるゴルフスイング矯正装置を提供することにある。
【課題を解決するための手段】
【０００７】
前記目的を達成するために、ゴルフスイング矯正装置の第１の態様では、その上でゴルファーがアドレスに対応する基本姿勢をとることのできる所定の大きさの平坦なベースプレートと、前記ベースプレートの上面所定位置に引張コイルばねを介し取着された滑車と、前記滑車に掛け回す１本のロープと、を備えたことを特徴とする。なお、ベースプレートは、滑車取着位置である仮想ボール位置に対し、ゴルファーがアドレスに対応する基本姿勢をとることができる所定の大きさに形成されている。
【０００８】
（作用）ゴルフスイング矯正装置は、室内外の例えば床や地面に載置したベースプレートにゴルファーが乗って、ゴルファーの体重がベースプレートに作用する形態で使用される。
【０００９】
詳しくは、ゴルファーは、ベースプレート上において、滑車に掛け回したロープの両端側所定位置を左右それぞれの手で掴み、滑車のベースプレートへの取着位置を仮想ボール位置として正対するように左右の足の位置、即ちスタンスを決め、僅かに前傾することで、ゴルフのアドレスに対応する基本姿勢を完成させる。このアドレスに対応する基本姿勢において、両肩と両腕とロープが滑車を頂点とする略二等辺三角形を作るように、ロープを掴む手の位置を調節して、滑車に掛け回したロープが両腕に対し真っ直ぐであって、ある程度、引張られた状態にすることが望ましい。
【００１０】
このアドレスに対応する基本姿勢から、前頃姿勢を崩さず、ビジネスゾーンの範囲で、ロープの緊張状態を保持したまま、左右の腕を曲げ伸ばしして、左右の肩と滑車が常に三角形を形成し続けるように、換言すれば、両肩と滑車を頂点とする三角形を崩さないように、腰の回転にあわせて肩をスタンス方向に沿って縦回転するハーフスイング対応動作をする。このとき、基本姿勢でスタンスの幅方向略中央部付近にあった重心は、ハーフスイング対応動作によって、左右の股関節間を移動するが、不動である滑車取着位置（仮想ボール位置）に対しゴルファーの前頃姿勢が崩れない限り、ゴルファーの頭の位置は前後・左右・上下のいずれの方向にもほとんど動かない。
【００１１】
そして、このハーフスイング対応動作において、肩がスタンスに沿って縦回転して重心が左右の股関節間で移動しているか否かによって、インパクトゾーンを含むハーフスイング対応動作における腰および肩の動きの適否をゴルファー自らが判別できる。
【００１２】
また、ビジネスゾーンの範囲で、左右の肩と滑車が常に三角形を形成し続けるように、腰の回転にあわせて肩をスタンス方向に沿って縦回転し重心が左右の股関節間で移動するハーフスイング対応動作をする際、腰の回転および肩の縦回転に起因した慣性力がロープを介して滑車に引張力として作用する。あるいは、ハーフスイング対応動作中にゴルファーの前傾姿勢が崩れた場合にも、身体の伸び上がりに起因した慣性力がロープを介して滑車に引張力として作用する。
【００１３】
そして、仮に、滑車が直接、ベースプレートに取着されている場合は、ロープを介して滑車に作用する引張力がそのままゴルファーの身体（腰や肩や腕）に負荷として作用し、この滑車に作用する引張力が大きいと、ゴルファーの身体を傷めるおそれがある。然るに、第１の態様では、滑車が引張コイルばねを介してベースプレートに取着されているため、ロープを介して滑車に大きな引張力が作用すると、滑車とベースプレート間に介装されている引張りコイルばねが伸びて、ロープに作用する引張力が軽減される分、ゴルファーの身体に作用する負荷も軽減される。即ち、引張コイルばねは、ゴルファーの身体に作用する負荷を緩和する緩衝作用がある。
【００１４】
また、ゴルフスイング矯正装置の第２の態様では、前記第１の態様において、前記ベースプレートは、重ね合わせた一端側を連結する枢着軸周りに揺動して開閉自在な、ゴルファーの左右それぞれの足を載置する所定幅で所定長さの左右一対の足載置プレートで構成され、前記左右一対の足載置プレート間には、該足載置プレートの他端側を所定距離離間した形態に固定保持するスタンス幅調整機構が設けられるとともに、前記重ね合わせた上面側の足載置プレートにおける、前記枢着軸の近傍に前記滑車が取着されたことを特徴とする。
【００１５】
（作用）第２の態様では、左右一対の足載置プレートを枢着軸周りに揺動して他端側を所定の角度に開き、スタンス幅調整機構によって、足載置プレートの他端側同士を所定距離（ゴルファーの基本姿勢のスタンス幅に対応する所定距離）だけ離間させた形態に固定保持した上で、使用する。
【００１６】
特に、ベースプレートが、枢着軸周りに揺動する左右一対の足載置プレートで構成されているので、その重量は、第１の態様のベースプレートよりも軽量となる。また、スイング矯正装置として使用しない場合は、左右一対の足載置プレートを枢着軸周りに揺動して他端側同士を閉じた形態、即ち、足載置プレートを折り畳んでコンパクトな形態にして、保管したり携帯することができる。
また、ゴルフスイング矯正装置の第３の態様では、少なくとも補助者の片足を乗せることのできる程度のコンパクトな平坦なベースプレートと、前記ベースプレートの上面所定位置に引張コイルばねを介し取着された滑車と、前記滑車に掛け回す１本のロープと、を備えたことを特徴とする。
【００１７】
（作用）前記した第１，第２の態様では、室内外の例えば床や地面に載置したベースプレートにゴルファーが乗って、ゴルファーの体重がベースプレートに作用する形態で使用される。即ち、ベースプレート上のゴルファー自らの体重によって、床や地面に対しベースプレートが固定保持される。
【００１８】
一方、第３の態様では、ゴルファーは、室内外の例えば床や地面に載置したベースプレートに乗るのではなく、ベースプレートに対し正対するように構えて、使用されるため、ゴルファーがハーフスイング対応動作を繰り返す際に、床や地面に対しベースプレートを移動させたり浮かせたりする力が滑車を介して作用する。そのため、ベースプレートが床や地面に対し移動したり浮いたりしないように、補助者がベースプレートを足で踏んで床や地面に押さえ付け続けることが必要である。
【００１９】
即ち、補助者がベースプレートを足で踏んで床や地面に押さえ付けた状態で、ゴルファーは、滑車に掛け回したロープの両端側所定位置を左右それぞれの手で掴み、滑車のベースプレートへの取着位置を仮想ボール位置として正対するように左右の足の位置、即ちスタンスを決め、僅かに前傾することで、ゴルフのアドレスに対応する基本姿勢を完成させる。
以後は、第１の態様の場合と同様、ゴルファーは、アドレスに対応する基本姿勢から、前頃姿勢を崩さず、ビジネスゾーンの範囲で、ロープの緊張状態を保持したまま、左右の腕を曲げ伸ばして、左右の肩と滑車が常に三角形を形成し続けるように、換言すれば、両肩と滑車を頂点とする三角形を崩さないように、腰の回転にあわせて肩をスタンス方向に沿って縦回転するハーフスイング対応動作をする。このとき、基本姿勢でスタンスの幅方向略中央部付近にあった重心は、ハーフスイング対応動作によって、左右の股関節間を移動するが、不動である滑車取着位置（仮想ボール位置）に対しゴルファーの前頃姿勢が崩れない限り、ゴルファーの頭の位置は前後・左右・上下のいずれの方向にもほとんど動かない。
【００２０】
そして、肩がスタンスに沿って縦回転し重心が左右の股関節間で移動しているか否かによって、インパクトゾーンを含むハーフスイング対応動作における腰および肩の動きの適否をゴルファー自らが判別できる。
ゴルファーのハーフスイング対応動作の詳細、および滑車とベースプレート間に介装されている引張りコイルばねの緩衝作用については、第１の態様の場合と同じであるので、その重複した説明は省略する。
【００２１】
また、ベースプレートは、少なくとも補助者の片足を乗せることのできる程度のコンパクトな大きさで、サイズが小さい分、携帯に便利であり、ゴルフスイング矯正装置を使用する際の場所もとらない。
【００２２】
また、ゴルフスイング矯正装置の第４の態様では、前記した第３の態様において、前記ベースプレートに、地中に打ち込む杭によって掛止される被掛止部を設けたことを特徴とする。
【００２３】
（作用）地中に打ち込んだ杭がベースプレートの被掛止部を掛止し、ベースプレートが床や地面に対し移動したり浮いたりしないように固定保持される。その分、補助者に必要とされるベースプレートを踏む力は軽減され、さらには、補助者に全く補助されることなく、ゴルファー単独でゴルフスイング矯正装置を使用することもできる。また、杭は、例えば金槌や木槌を使って地面に打ち込むことができるし、ゴルフスイング矯正装置を使用した後は、ベースプレートを持ち上げれば、地面から杭を抜き出すことができる。
【００２４】
また、ゴルフスイング矯正装置の第５の態様では、前記第１〜第４のいずれかに記載の態様において、前記滑車にその一端側が接続された前記引張コイルばねの他端側に、前記ベースプレート側に設けたフック被係合部と係合・係合解除可能な前記フックが設けられて、滑車・ばねユニットが構成されるとともに、前記滑車・ばねユニットが前記ベースプレートに取り外し自在に取着されたことを特徴とする。
【００２５】
（作用）滑車・ばねユニット側のフックのベースプレート側のフック被係合部との係合を解除すれば、滑車・ばねユニットをベースプレートから簡単に取り外すことができる。そして、例えば、傘を携帯できるように構成されているキャディバックでは、キャディバック下方の側面に露出している傘先挿入用の孔をフック被係合部として利用する。即ち、キャディバック下方の傘先挿入用の孔に、フックを介して滑車・ばねユニットを取着し、例えば、キャディによってキャディバックを動かないように保持してもらえば、ゴルフスイング矯正装置として使用できる。
【００２６】
あるいは、キャディバック積載用カート後部下方の横フレームと縦フレームの交差部をフック被係合部として利用する。即ち、停車中のキャディバック積載用カート下方の横フレームと縦フレームの交差部に、フックを介して滑車・ばねユニットを取着することで、ゴルフスイング矯正装置として使用できる。
【００２７】
また、ゴルフスイング矯正装置の第６の態様では、前記第１〜第５のいずれかに記載の態様において、前記ベースプレートの底面には、該ベースプレートを載置する領域の凹凸を吸収できる少なくとも３個の突起が設けられたことを特徴とする。
【００２８】
（作用）ベースプレートを載置する場所が土砂の露出する地面やコース内の芝草の上であっても、ベースプレートの底面に設けた突起が被載置面における凹凸差を吸収するので、ベースプレートが被載置面に対し安定した形態に保持される。
【００２９】
特に、コース内のラフやフェアウェイは傾斜があって平坦ではないが、突起がラフやフェアウェイの地面まで侵入して、被載置面に対しベースプレートが滑ることを抑制するので、被載置面に対しベースプレートが安定した形態に保持される。
【００３０】
また、ゴルフスイング矯正装置の第７の態様では、滑車本体である円盤状回転輪がフレームによって支承された滑車と、前記滑車のフレームに引張コイルばねを介して取着一体化されたフックと、前記円盤状回転輪に掛け回す１本のロープと、を備えたことを特徴とする。
【００３１】
（作用）例えば、傘を携帯できるように構成されているキャディバックでは、キャディバック下方の側面に露出している傘先挿入用の孔にフックを掛け止めて、滑車と引張コイルばねとフックで構成されたゴルフスイング矯正装置を、キャディバックの傘先挿入用の孔に取着し、例えば、キャディにキャディバックを動かないように保持してもらうことで、ゴルフスイング矯正装置として使用できる。
【００３２】
あるいは、停車中のキャディバック積載用カート後部下方の横フレームと縦フレームの交差部にフックを掛け止めて、滑車と引張コイルばねとフックで構成されたゴルフスイング矯正装置を、停車中のキャディバック積載用カート後部下方の横フレームと縦フレームの交差部に取着することで、ゴルフスイング矯正装置として使用できる。
【００３３】
なお、ゴルフスイング矯正装置として使用する際の、ゴルファーのハーフスイング対応動作、および滑車とフック間に介装されている引張りコイルばねの緩衝作用については、第１，第３の態様の場合と同じであるので、その重複した説明は省略する。
【００３４】
この第７の態様では、前記した第１〜第６の態様と比べて、ベースプレートを備えていない分、装置構造が簡潔，軽量かつコンパクトで、携帯にいっそう便利である。特に、フックを掛け止めることのできる、不動となる場所さえあれば、いつでもどこにおいても、ゴルフスイング矯正装置として使用することができる。
【００３５】
また、ゴルフスイング矯正装置の第８の態様では、前記第１〜第７のいずれかに記載の態様において、前記引張コイルばねのばね定数は、上級者仕様に対応する最大値を基準として、初心者仕様ほど小さくなるように設定されたことを特徴とする。
【００３６】
（作用）スイングが安定しない初心者ほど、ゴルフスイング矯正装置を使用したハーフスイング対応動作中、ロープに作用する引張力が大きく変化する傾向にあるため、ゴルフスイング矯正装置構成部材である引張コイルばねのばね定数（ばねの硬さ）は、上級者に対応する最大値を基準として、初心者ほど小さくなるように設定されている。
【００３７】
詳しくは、スイングが安定している上級者は、ハーフスイング対応動作中のロープに作用する引張力は、ほぼ一定、即ち、大きく変化しないと想定される。一方、初心者は、スイングが安定していない分、ハーフスイング対応動作中のロープに作用する引張力が大きく変化すると想定される。
【００３８】
そのため、ゴルフスイング矯正装置では、ゴルフの習熟度やゴルファーのニーズに合うばね定数の引張コイルばねが装着されている。
【００３９】
詳しくは、上級者仕様のゴルフスイング矯正装置では、基本となる硬め（ばね定数の大きい）の引張コイルばねが装着されて、ゴルファーの身体に対する負荷の軽減よりもスイングの矯正に重点がおかれている。一方、初心者仕様のゴルフスイング矯正装置では、軟らかめ（ばね定数の小さい）の引張コイルばねが装着されて、スイングの矯正よりもゴルファーの身体に対する負荷の軽減に重点がおかれている。
【考案の効果】
【００４０】
以上の説明から明らかなように、本考案によれば、左右の肩と滑車を頂点とする三角形を崩さないように、腰の回転にあわせて腕を伸縮させて肩をスタンスに沿って縦回転して左右の股関節間で重心を移動するハーフスイング対応動作を繰り返すことで、誰の協力も得ることなく、ビジネスゾーンにおける適正なフォームを身につけることができる。
【００４１】
また、ハーフスイング対応動作を繰り返す際にロープを介してゴルファーの身体に作用する負荷は、引張りコイルばねの緩衝作用によって軽減されるので、それだけゴルファーの身体を傷めるおそれがない。
【００４２】
第２の態様によれば、ベースプレートを構成する左右一対の足載置プレートが軽量である上に、折り畳めばコンパクトな大きさとなるので、保管や携帯に便利である。
【００４３】
第３の態様によれば、左右の肩と滑車を頂点とする三角形を崩さないように、腰の回転に合わせて腕を伸縮させて肩をスタンスに沿って縦回転して左右の股関節間で重心を移動するハーフスイング対応動作を繰り返すことで、補助者の協力の下、ビジネスゾーンにおける適正なフォームを身につけることができる。
【００４４】
また、ハーフスイング対応動作を繰り返す際にロープを介してゴルファーの身体に作用する負荷は、引張りコイルばねの緩衝作用によって軽減されるので、それだけゴルファーの身体を傷めるおそれがない。
また、ベースプレートが非常にコンパクトであるため、携帯し易く、必要に応じて狭い場所でも使用できる。
【００４５】
第４の態様によれば、補助者がいない場合であっても、ゴルファー単独で使用できる。
【００４６】
第５の態様によれば、滑車・ばねユニットをベースプレートに取着した状態で使用できることは勿論、ベースプレートから取り外した滑車・ばねユニットを、例えば、キャディバック下方の側面に露出している傘先挿入用の孔や、キャディバック積載用カート後部下方の横フレームと縦フレームの交差部に、それぞれ取着して使用することもできるので、ベースプレートを除く滑車・ばねユニットとロープだけの携帯はいっそう容易で、装置としても使い易い。
【００４７】
第６の態様によれば、ベースプレートの底面に設けた突起によって、ベースプレートが被載置面に対し安定するので、屋内外の平坦な床面以外の場所でも使用できる。特に、コース内のラフやフェアウェイは勿論、表面が平坦ではない砂地などの軟らかい場所においてもゴルフスイング矯正装置を使用できる。
【００４８】
第７の態様によれば、滑車・ばねユニットのフックを係合させることのできる部位であって、動かないように保持できる部位さえあれば、いつでもどこでもゴルフスイング矯正装置を使用できるので、利便性に優れる。
【００４９】
第８の態様によれば、上級者から初心者までの習熟度が異なる全てのゴルファーのニーズに応えるゴルフスイング矯正装置を提供できる。
【図面の簡単な説明】
【００５０】
【図１】第１の実施例に係るゴルフスイング矯正装置の斜視図である。
【図２】同ゴルフスイング矯正装置の使用状態を示す正面図で、（ａ）はゴルファーのアドレスに対応する基本姿勢を示し、（ｂ）はゴルファーが右手を右腰の高さまで引き上げた、テークバック対応動作およびバック側ハーフスイング対応動作を示し、（ｃ）はゴルファーが左手を左腰の高さまで引き上げたフォロー側ハーフスイング対応動作を示す。
【図３】第２の実施例に係るゴルフスイング矯正装置の分解斜視図である。
【図４】ベースプレートを構成する左右一対の足載置プレートの連結部の断面図である。
【図５】同ゴルフスイング矯正装置の使用時の平面図である。
【図６】第３の実施例に係るゴルフスイング矯正装置の斜視図である。
【図７】同ゴルフスイング矯正装置の使用状態を示す平面図である。
【図８】第４の実施例に係るゴルフスイング矯正装置の斜視図である。
【考案を実施するための形態】
【００５１】
以下、本考案の実施の形態を実施例に基づいて説明する。
【００５２】
図１は、第１の実施例に係るゴルフスイング矯正装置の斜視図、図２は、同ゴルフスイング矯正装置を使用している状態を示す図である。
【００５３】
これらの図において、ゴルフスイング矯正装置１Ａは、室内外の例えば床や地面に載置したベースプレート１０Ａ上にゴルファーが乗って、ゴルファーの体重がベースプレート１０Ａに作用した形態で使用される。図では、室外の土が露出する地面８にベースプレート１０Ａを載置した状態を示している。
【００５４】
即ち、ゴルフスイング矯正装置１Ａは、その上でゴルファーがアドレスに対応する基本姿勢をとることのできる、所定の大きさに形成された平坦なベースプレート１０Ａと、ベースプレート１０Ａの上面所定位置に引張コイルばね３０を介し取着された滑車２０と、滑車２０に掛け回された１本のロープ４０で構成されている。詳しくは、ベースプレート１０Ａは、滑車２０取着位置である仮想ボール位置に対し、ゴルファーがアドレスに対応する基本姿勢をとることができる所定の大きさ、例えば前後幅ａが60cm、左右幅ｂが80cm、厚さｔが約2cmに形成されており、その上でゴルファーが身体を動かしても、表面が傷付いたり変形することのない、耐久性に優れた、ある程度の重量のある合板（木質ボード）で構成されている。
【００５５】
また、ベースプレート１０Ａ裏面の四隅には、金属製のスパイク状突起１２が突設されており、地面８に多少の凹凸があってもベースプレート１０Ａが安定する。突起１２は、先の尖ったスパイク本体１２ａの基端側に雄ねじ部が設けられた構造で、雄ねじ部がベースプレート１０Ａ内の埋設ナット１２ｂに螺着されることで、ベースプレート１０Ａに突起１２が固定されている。
【００５６】
詳しくは、ベースプレート１０Ａを載置する場所が土砂の露出する地面やコース内の芝草の上であっても、ベースプレート１０Ａの底面に設けた突起１２が被載置面における凹凸差を吸収するので、ベースプレート１０Ａが被載置面に対し安定した形態に保持される。特に、コース内のラフやフェアウェイは傾斜があって平坦ではないが、突起１２Ａがラフやフェアウェイの地面まで侵入して、被載置面に対しベースプレート１０Ａが滑ることを抑制するので、被載置面に対しベースプレート１０Ａが安定した形態に保持される。なお、室内の平坦な床面にベースプレート１０Ａを載置する場合は、突起１２は不要である。
【００５７】
また、ベースプレート１０Ａの上面左右方向略中央部手前寄りには、ゴルファーの立つ位置を示すスタンスマーク１４が印刷されているが、スタンスマーク１４は、必ずしも必要ではない。即ち、スタンスマーク１４は、あくまでアドレスに対応する基本姿勢における一般的な位置を示すに過ぎず、このスタンスマーク１４にあわせる必要はない。ゴルファーによってスタンスの幅が異なることは勿論、使用するゴルフクラブが短くなるほど、ボールからスタンス位置までの距離が短くなるので、自分のスタンスに合う位置で基本姿勢をとればよいし、ゴルフスイング矯正装置１Ａでは、アプローチショットからドライバーショットまでの全ての使用クラブに応じたスイングの矯正に対応できる。
【００５８】
また、ベースプレート１０Ａの上面側であって、スタンスマーク１４に対し正対するベースプレート１０Ａの左右に延びる側縁部寄りには、滑車２０を掛止するための金属製の留め金具１６が突設されている。留め金具１６は、ベースプレート１０Ａにねじ（１６ｃ）止めされた矩形板１６ａから半円弧状の留め輪１６ｂが垂直に突出している。
【００５９】
滑車２０は、滑車本体である円盤状回転輪２４が断面コ字型のフレーム２２によって回転可能に支承された構造で、フレーム２２の断面コ字横棒状部２２ａには、留め環２６が相対回転自在に遊合し、留め環２６と留め金具１６間に引張りコイルばね３０が介装されている。即ち、引張りコイルばね３０は、その一端側が滑車２０側のフレーム２２の留め環２６に接続され、その他端側がベースプレート１０Ａに固定された留め金具１６の留め輪１６ｂに接続されることで、滑車２０が引張コイルばね３０を介しベースプレート１０Ａに取着されている。
【００６０】
滑車２０は、耐久性を考慮して金属で構成されているが、矯正装置１Ａとして使用される際に、図２に示すように、円盤状回転輪２４に掛け回したロープ４０によって上方に僅かに引張られた形態に保持されるため、重くなりすぎない、ある程度コンパクトなものが望ましい。また、後述するように、両肩Ｓ１，Ｓ２と両腕Ａ１，Ａ２とロープ４０が滑車２０を頂点とする三角形を形成するというイメージからも、滑車２０はコンパクトなものが望ましい。
【００６１】
また、滑車２０の円盤状回転輪２４に掛け回されたロープ４０の移動（走行）と円盤状回転輪２４の回転が連係するように、ロープ４０は、滑車２０の円盤状回転輪２４に係合できる所定の太さを有し、例えば、綿や麻といった天然繊維やポリエステルやナイロンといった合成繊維をそれぞれ撚って１本に構成されている。
【００６２】
なお、ロープ４０の素材は、天然繊維，合成繊維のいずれでもよいが、滑車本体である円盤状回転輪２４との密着性、手で掴んで滑りにくいこと、軽量であること等を考慮すると、天然繊維で構成されていることが望ましい。なお、天然繊維は合成繊維よりも引張り強度が明らかに劣るものの、ゴルフスイング矯正装置として使用する上では、天然繊維の引張り強度で十分であることからも、天然繊維が望ましい。
【００６３】
以下、ゴルフスイング矯正装置１Ａの使用方法を、図２（ａ），（ｂ），（ｃ）に基づいて説明する。
ゴルファーは、まず、ベースプレート１０Ａ上において、滑車２０に掛け回したロープ４０の両端側所定位置を左右それぞれの手で掴み、滑車２０のベースプレート１０Ａへの取着位置を仮想ボール位置として正対するように、左右の足の位置、即ちスタンスを決め、僅かに前傾することで、スタンスの幅方向略中央部付近に重心がくる、ゴルフスイングのアドレスに対応する基本姿勢を完成させる。なお、ベースプレート１０Ａ上にスタンスマーク１４がある分、ゴルファーは、ベースプレート１０Ａ上でアドレスに対応する基本姿勢をとりやすい。
【００６４】
このアドレスに対応する基本姿勢において、図２（ａ）に示すように、両肩Ｓ１，Ｓ２と両腕Ａ１，Ａ２とロープ４０が滑車２０を頂点とする略二等辺三角形を作るように、ロープ４０を掴む手Ｈ１，Ｈ２の位置を調節して、滑車２０（の円盤状回転輪２４）に掛け回したロープ４０が両腕Ａ１，Ａ２に対し真っ直ぐであって、僅かに引張られた状態にする。
【００６５】
このアドレスに対応する基本姿勢から、前頃姿勢を崩さず、ビジネスゾーンの範囲で、ロープ４０の緊張状態を保持したまま、左右の腕Ａ１，Ａ２を曲げ伸ばしして、左右の肩Ｓ１，Ｓ２と滑車２０が常に三角形を形成し続けるように、腰の回転にあわせて肩Ｓ１，Ｓ２をスタンス方向Ｌに沿って縦回転するハーフスイング対応動作をする。このとき、基本姿勢でスタンスの幅方向略中央部付近にあった重心は、ハーフスイング対応動作によって、左右の股関節間を移動するが、不動である滑車２０取着位置（仮想ボール位置）に対しゴルファーの前頃姿勢が崩れない限り、ゴルファーの頭の位置は前後・左右・上下のいずれの方向にもほとんど動かない。
【００６６】
詳しくは、図２（ａ）に示す基本姿勢から、腰の右周りの回転にあわせて、左腕Ａ１を下げつつ右肘を曲げながら右手Ｈ２を右腰の高さまで引き上げ、左肩Ｓ１をスタンス方向Ｌの右後方に押し込むようにして、両肩Ｓ１，Ｓ２をハーフウェイバックまでスタンス方向Ｌに沿って縦回転して重心が右股関節上に移動する「テークバック対応動作」（図２（ｂ）参照）を行い、続いて、腰の左周りの回転にあわせて、右肘を伸ばしながら右手Ｈ２を下げつつ伸びている左肘を曲げながら左手Ｈ１を左腰の高さまで引き上げ、右肩Ｓ２をスタンス方向Ｌの左前方に押し込むようにして、両肩Ｓ１，Ｓ２を、インパクトゾーンを過ぎたフォロー途中までスタンス方向Ｌに沿って縦回転して重心が左股関節上に移動する「フォロー側ハーフスイング対応動作」（図２（ｃ）参照）を行う。この後は、腰の右周りの回転にあわせて、左肘を伸ばしながら左手Ｈ１を下げつつ右肘を曲げながら右手Ｈ２を右腰の高さまで引き上げ、左肩Ｓ１をスタンス方向Ｌの右後方に押し込むようにして、両肩Ｓ１，Ｓ２をハーフウェイバックまでスタンス方向Ｌに沿って縦回転して重心を右股関節上に移動させる「バック側ハーフスイング対応動作」（図２（ｂ）参照）と、前記した「フォロー側ハーフスイング対応動作」（図２（ｃ）参照）とを繰り返すことで、ビジネスゾーンにおけるゴルファーの下半身（腰）と上半身（肩）の動きを矯正する。
【００６７】
特に、左右の肩Ｓ１，Ｓ２と滑車２０を頂点とする三角形を崩さないように、腰の回転にあわせて肘を曲げながら左右の腕Ａ１，Ａ２を伸縮させる際、肩Ｓ１，Ｓ２がスタンス方向Ｌに沿って縦回転して右または左の股関節上に重心が移動しているか否かによって、インパクトゾーンを含むビジネスゾーンにおける腰および肩Ｓ１，Ｓ２の動きの適否をゴルファー自らで判別できる。
【００６８】
また、本実施例では、ベースプレート１０Ａ上において、ビジネスゾーンの範囲で、図２（ｂ）に示す「バック側ハーフスイング対応動作」と図２（ｃ）に示す「フォロー側ハーフスイング対応動作」を繰り返すが、特に、「バック側ハーフスイング対応動作」から「フォロー側ハーフスイング対応動作」に移行する（切り替わる）際、あるいは「フォロー側ハーフスイング対応動作」から「バック側ハーフスイング対応動作」に移行する（切り替わる）際に、腰の回転，肩の縦回転および重心の移動に起因した慣性力がロープ４０を介して滑車２０に引張力として作用する。即ち、滑車２０に対しロープ４０を不測の力で引張ることになる。また、ハーフスイング対応動作中にゴルファーの前傾姿勢が崩れた場合にも、身体の起き上がりに起因した力がロープ４０を介して滑車２０に引張力として作用する、即ち、滑車２０に対しロープ４０を不測の力で引張ることになる。
【００６９】
そして、仮に、滑車２０が引張りコイルばね３０を介さずにベースプレート１０Ａに直接、取着されているとすると、滑車２０に作用する大きな引張力（滑車２０に対しロープ４０を引張る不測の力）がそのままゴルファーの身体（腰や肩や腕）に負荷として作用し、身体を傷めるおそれがある。
【００７０】
然るに、本実施例では、滑車２０は、引張りコイルばね３０を介してベースプレート１０Ａに取着されているため、ロープ４０を介して滑車２０に必要以上の引張力が作用すると、即ち、ゴルファーがロープ４０を必要以上の力で引張ると、滑車２０とベースプレート１０Ａ間に介装されている引張りコイルばね３０が伸びて、ロープ４０に作用する引張力が軽減される分、ゴルファーの身体に作用する負荷も軽減される。
【００７１】
したがって、ゴルファーがゴルフスイング矯正装置１Ａを長時間使い続けたとしても、ロープ４０を介して身体に作用する負荷が引張りコイルばね３０の緩衝作用によって軽減される分、ゴルファーは、それだけ腰や肩などを痛めるおそれが少ない。
【００７２】
なお、引張りコイルばね３０は、前記したように、ゴルフスイング矯正装置１Ａの使用中に、ロープ４０を介してゴルファーの身体に作用するおそれのある負荷を軽減するためのもので、ばね３０が硬すぎるとばね３０の緩衝作用が十分に発揮されず、逆に、ばね３０が軟らかすぎるとゴルファーの下半身（腰）と上半身（肩）の動きを十分に矯正できない。このため、引張りコイルばね３０の硬さ（ばね定数）は、ゴルフスイング矯正装置１Ａを使用するゴルファーの習熟度やニーズに合わせて設定されることが望ましい。
【００７３】
即ち、スイングが安定している上級者は、ハーフスイング対応動作中のロープ４０に作用する引張力がほぼ一定と想定されるので、ばね定数の大きい引張りコイルばね３０ａを採用することで、ゴルファーの身体に対する負荷の軽減よりも下半身（腰）と上半身（肩）の動きの矯正に重点をおくことが望ましい。一方、初心者は、スイングが安定していない分、ハーフスイング対応動作中のロープ４０に作用する引張力が大きく変化すると想定されるので、ばね定数の小さい引張りコイルばね３０ｃを採用することで、ゴルファーの下半身（腰）と上半身（肩）の動きの矯正よりもむしろ身体に対する負荷の軽減に重点をおくことが望ましい。
【００７４】
そのため、ゴルフスイング矯正装置１Ａには、ゴルファーのニーズに応えるべく、ばね定数の異なる引張コイルばね３０ａ，３０ｂ，３０ｃをそれぞれ装着した、上級者用，中級者用および初心者用の３種類の仕様が用意されている。
詳しくは、上級者仕様では、基本となる硬め（ばね定数の大きい）の引張コイルばね３０ａが装着されて、ゴルファーの身体に対する負荷の軽減よりもスイングの矯正に重点がおかれている。一方、初心者仕様では、軟らかめ（ばね定数の小さい）の引張コイルばね３０ｃが装着されて、スイングの矯正よりもゴルファーの身体に対する負荷の軽減に重点がおかれている。また、中級者仕様では、前記した引張コイルばね３０ａ，３０ｂの中間の硬さ（ばね定数）の引張コイルばね３０ｂが装着されて、スイングの矯正およびゴルファーの身体に対する負荷の軽減の双方に重点がおかれている。
【００７５】
次に、第２の実施例に係るゴルフスイング矯正装置１Ｂを、図３，４，５に基づいて説明する。
【００７６】
ゴルフスイング矯正装置１Ｂは、ベースプレート１０Ｂを構成する開閉自在な左右一対の足載置プレート１１０，１２０と、左右一対の足載置プレート１１０，１２０間に設けられたスタンス幅調整機構１４０とを備えて構成されている。
【００７７】
ベースプレート１０Ｂを構成する左右一対の足載置プレート１１０，１２０は、前記した第１の実施例におけるベースプレート１０Ａの素材と同じ合板（木質ボード）で構成され、その厚さも約2cmと同じであるが、板厚が約1cmと薄い円形状の一端側１１０ａ，１２０ａが枢着軸１３０を構成するボルト１３２・ナット１３３によって重合するように連結（図４参照）されて、プレート１１０，１２０が枢着軸１３０周りに揺動して、他端側１１０ｂ，１２０ｂが開閉するように構成されている。
【００７８】
足載置プレート１１０，１２０の他端側１１０ｂ，１２０ｂは、図５に示すように、ゴルファーが左右それぞれの足Ｆ１，Ｆ２を載置できる十分な大きさの半円形状に形成され、両プレート１１０，１２０の全長はそれぞれ例えば約70cm、重合する円形領域１１０ａ，１２０ａと揺動側の半円形領域１１０ｂ，１２０ｂ間の細長い領域１１０ｃ，１２０ｃの幅ｄは、それぞれ例えば約20cmに形成されている。
【００７９】
スタンス幅調整機構１４０は、足載置プレート１２０の上面に設けたピン支点１４２周りに揺動（回動）自在な長尺フック１４４と、足載置プレート１１０の上面に突出して、長尺フック１４４の側縁部に設けた切欠１４５と係合可能な雄ねじ部１４６と、雄ねじ部１４６に螺合できる蝶ナット１４７で構成されている。そして、雄ねじ部１４６に係合している長尺フック１４４の切欠１４５の周縁部を、雄ねじ部１４６に螺合した蝶ナット１４７で緊締することで、足載置プレート１１０，１２０が長尺フック１４４を介して揺動側端部１１０ｂ，１２０ｂを開口した形態に固定保持される。
【００８０】
なお、切欠１４５は、長尺フック１４４の側縁部に沿って等間隔に設けられており、雄ねじ部１４６に係合させる切欠１４５を選択することで、揺動側端部１１０ｂ，１２０ｂ間の距離Ｌをゴルファーのスタンス幅に合わせて調整できる。
【００８１】
足載置プレート１２０における枢着軸１３０の真上には、滑車２０を掛止するための金属製の留め金具１６がねじ止めされている。留め金具１６の半円弧状の留め輪１６ｂには、第１の実施例と同様、引張コイルばね３０を介して、ロープ４０を掛け回す滑車２０が取着されている。
【００８２】
また、長尺フック１４４の切欠１４５形成側と反対側の側縁部には、足載置プレート１２０の上面に設けた雄ねじ部１４６ａと係合可能な切欠き１４５ａが設けられている。詳しくは、図５仮想線に示すように、足載置プレート１１０，１２０を閉じた形態（折り畳んだ形態）にした場合に、図５矢印に示すように、長尺フック１４４をピン支点１４２周りに揺動（回動）して、切欠き１４５ａを雄ねじ部１４６ａと係合させ、雄ねじ部１４６ａに螺合した蝶ナット１４７ａで切欠き１４５ａ周縁部を緊締することで、長尺フック１４４を足載置プレート１２０に固定保持することができる。したがって、足載置プレート１１０，１２０を折り畳んで保管したり携帯する場合に、長尺フック１４４が邪魔にならない。
【００８３】
その他の構成は、前記した第１の実施例のゴルフスイング矯正装置１Ａの構成と同一であるので、同一の符号を付すことで、重複する説明は省略する。
【００８４】
また、本実施例のゴルフスイング矯正装置１Ｂのベースプレート１０Ｂは、枢着軸１３０周りに揺動する左右一対の所定幅で所定長さの足載置プレート１１０，１２０で構成されているので、その重量は、第１の実施例のゴルフスイング矯正装置１Ａのベースプレート１０Ａに比べて、大幅に軽量となる。このため、スタンス幅調整機構１４０を加えたゴルフスイング矯正装置１Ｂの総重量は、第１の実施例のゴルフスイング矯正装置１Ａの総重量よりも大幅に軽量となる。
【００８５】
しかも、ゴルフスイング矯正装置１Ｂをスイング矯正に使用しない場合は、図５の仮想線で示すように、足載置プレート１１０，１２０を枢着軸１３０周りに揺動して閉じた形態、即ち、足載置プレート１１０，１２０を折り畳んだ形態にすれば、コンパクトになるので、保管や携帯に便利である。
【００８６】
次に、図６，７を参照して、第３の実施例に係るゴルフスイング矯正装置１Ｃを説明する。
【００８７】
前記した第１，第２の実施例に係るゴルフスイング矯正装置１Ａ，１Ｂは、ゴルファーがベースプレート１０Ａ,１０Ｂに乗った状態で使用するように構成されているのに対し、この第３の実施例に係るゴルフスイング矯正装置１Ｃは、ゴルファーは、ベースプレート１０Ｃに乗るのではなく、補助者が足Ｆで踏んで地面８に押圧保持したベースプレート１０Ｃに対し、図６の符号Ｆ１，Ｆ２に示すように、正対するようにスタンスをとって使用するように構成されている。
【００８８】
ベースプレート１０Ｃは、前記した第１，第２の実施例におけるベースプレート１０Ａ，１０Ｂの素材と同じ合板（木質ボード）で構成され、その厚さも約2cmと同じであるが、その平面的な大きさが全く異なる。即ち、図６，７に示すように、ベースプレート１０Ｃは、補助者が足Ｆで踏みつけて地面８に押圧保持できる、例えば左右幅30cmの半円形(半径15cm)のコンパクトなサイズに形成されている。
【００８９】
ベースプレート１０Ｃの上面に金属製の留め金具１６がねじ止めされるとともに、滑車２０が引張コイルばね３０を介してベースプレート１０Ｃの留め金具１６に取着された点は、前記した第１，第２の実施例と同じであるが、引張コイルばね３０がフック３６によって留め金具１６に掛け止めされることで、滑車２０と引張コイルばね３０とフック３６を一体化した滑車・ばねユニットＵが、ベースプレート１０Ｃに対し取り外し自在に取着されている。
【００９０】
詳しくは、滑車２０のフレーム２２下端部に回転自在に遊合する留め環２６に、引張りコイルばね３０を介してフック３６が連結一体化されて、滑車・ばねユニットＵが構成されており、滑車・ばねユニットＵのフック３６がベースプレート１０Ｃ側の留め金具１６の留め輪１６ｂに掛け留められている。フック３６の開口部の入り口には、該開口部を閉じる方向にばね付勢されたラッチ３７が設けられており、ラッチ３７をばね付勢力に抗して揺動（回動）させることで、フック３６の留め輪１６ｂとの係合および係合解除が簡単にできる。
【００９１】
なお、図６において、ラッチ３７をばね付勢（回転付勢）する「ばね」の図示は、省略する。
【００９２】
また、ベースプレート１０Ｃにおける、留め金具１６を挟んだ左右両側には、地面８に打ち込んだ杭１１によって掛止される被掛止部である貫通孔１３が一対設けられている。即ち、ベースプレート１０Ｃの上方から、貫通孔１３を通して地面８に杭１１を打ち込めば、貫通孔１３の周縁部が杭１１に掛止されて、ベースプレート１０Ｃの地面８に対する移動や浮き上がりが抑制されるため、補助者のベースプレート１０Ｂを踏む力が軽減される。
【００９３】
さらには、一対の杭１１，１１を、それぞれの先端側が互いに接近する斜め方向（図６の符号Ａ参照）や、それぞれの先端側が互いに離間する斜め方向（図６の符号Ｂ参照）に打ち込めば、ベースプレート１０Ｃが地面８に対しより強く固定保持されるため、補助者に補助されることなく、ゴルファー単独でゴルフスイング矯正装置１Ｃを使用することもできる。また、杭１１は、例えば金槌や木槌等を使って地面８に打ち込むことができるし、ゴルフスイング矯正装置１Ｃを使用した後は、ベースプレート１０Ｃを持ち上げれば、地面８から杭１１を引き抜くことができる。
【００９４】
その他の構成は、前記した第１の実施例に係るゴルフスイング矯正装置１Ａと同一であり、同一の符号を付すことで、その重複する説明は省略する。
そして、この第３の実施例では、ゴルファーは、補助者や杭１１によって地面８に押圧固定保持されたベースプレート１０Ｃに対し、滑車２０の取着位置を仮想ボール位置として正対するようにスタンス（図６符号Ｆ１，Ｆ２参照）し、アドレスに対応する基本姿勢をとる。このアドレスに対応する基本姿勢は、第１の実施例の場合（図２（ａ）参照）と同じであり、その重複する説明は省略する。
【００９５】
そして、第１の実施例の場合と同様、このアドレスに対応する基本姿勢から、前頃姿勢を崩さず、ビジネスゾーンの範囲で、ロープ４０の緊張状態を保持したまま、左右の腕Ａ１，Ａ２を曲げ伸ばして、左右の肩Ｓ１，Ｓ２と滑車２０が常に三角形の頂点を形成し続けるように、腰の回転にあわせて肩Ｓ１，Ｓ２をスタンス方向Ｌに沿って縦回転する「ハーフスイング対応動作」をすることで、インパクトゾーンを含むビジネスゾーンの範囲におけるゴルファーの下半身（腰）と上半身（肩）の動きを矯正できる。
【００９６】
なお、ゴルフスイング矯正装置１Ｃを使用する際のゴルファーの動きは、「テークバック対応動作」，「フォロー側ハーフスイング対応動作」および「バック側ハーフスイング対応動作」から成り、図２（ａ），（ｂ），（ｃ）に示す、前記した第１の実施例のゴルフスイング矯正装置１Ａを使用する際のゴルファーの動きと全く同じであるので、その重複する説明は省略する。
【００９７】
また、ゴルファーがゴルフスイング矯正装置１Ｃを長時間使い続けたとしても、ロープ４０を介して身体に作用する負荷が引張りコイルばね３０（３０ａ，３０ｂ，３０ｃ）の緩衝作用によって軽減されるという作用も、前記した第１の実施例の場合と同じである。
【００９８】
また、ゴルフスイング矯正装置１Ｃには、上級者，中級者，初心者といった習熟度の異なる全てのゴルファーのニーズに応えるべく、ばね定数の異なる引張コイルばね３０ａ，３０ｂ，３０ｃをそれぞれ装着した、上級者用，中級者用および初心者用の３種類の仕様が用意されていることも、第１の実施例の場合と同じである。
【００９９】
また、ゴルフスイング矯正装置１Ｃは、ベースプレート１０Ｃが非常にコンパクトであるため、それだけ携帯に便利であり、使用する際の場所もとらない。
さらには、フック３６に設けられているラッチ３７に作用しているばね付勢力に抗して、ラッチ３７を回動させてフック３６を開口すれば、フック３６を留め輪１６ｂから簡単に外すことができるので、ベースプレート１０Ｃから切り離した、滑車２０と引張コイルばね３０とフック３６を一体化した滑車・ばねユニットＵと、１本のロープ４０だけを携帯し、必要に応じてゴルフスイング矯正装置として使用することもできる。
【０１００】
例えば、傘を携帯できるキャディバックでは、キャディバック下方の側面に傘先挿入用の孔が露出しているが、この傘先挿入用の孔をフック被係合部として利用する。即ち、キャディバック下方の傘先挿入用の孔にフック３６を掛け止めて滑車・ばねユニットＵを取着し、例えば、キャディによってキャディバックを動かないように保持してもらうことで、ゴルフスイング矯正装置として使用できる。
【０１０１】
また、キャディバック積載用カート後部下方の、横フレームと縦フレームの交差部をフック被係合部として利用する。即ち、停車中のキャディバック積載用カート下方の横フレームと縦フレームの交差部にフック３６を掛け止めて、滑車・ばねユニットＵを取着することで、ゴルフスイング矯正装置として使用できる。
【０１０２】
このように、滑車・ばねユニットＵ側のフック３６が係合できる部位であって、動かないように保持できる部位さえあれば、いつでもどこでも、滑車・ばねユニットＵをゴルフスイング矯正装置として使用できる。
【０１０３】
図８は、第４の実施例に係るゴルフスイング矯正装置の斜視図である。
第４の実施例に係るゴルフスイング矯正装置１Ｄは、第３の実施例に係るゴルフスイング矯正装置１Ｃ（図６参照）からベースプレート１０Ｃを除いた、滑車・ばねユニットＵと、１本のロープ４０だけで構成されている。即ち、滑車２０のフレーム２２に引張コイルばね３０（３０ａ，３０ｂ，３０ｃ）を介してフック３６が取着一体化されて、滑車・ばねユニットＵが構成されている。
【０１０４】
詳しくは、ゴルフスイング矯正装置１Ｄは、滑車本体である円盤状回転輪２４がフレーム２２によって回転可能に支承された滑車２０と、滑車２０のフレーム２２に回転自在に遊合する留め環２６に一端側が接続された引張りコイルばね３０と、引張りコイルばね３０の他端側に接続されたフック３６と、滑車２０の円盤状回転輪２４に掛け回す１本のロープ４０で構成されている。
【０１０５】
また、ゴルフスイング矯正装置１Ｄは、第３の実施例に係るゴルフスイング矯正装置１Ｃを構成する滑車・ばねユニットＵの使用方法（既述）と同じように、キャディバック下方の側面に露出している傘先挿入用の孔や、キャディバック積載用カート後部下方の横フレームと縦フレームの交差部を、フック被係合部として利用することで、ゴルファーのスイングを矯正するゴルフスイング矯正装置として使用できる。その他、滑車・ばねユニットＵ側のフック３６を係合させることのできる部位であって、動かないように保持できる部位さえあれば、いつでもどこでもゴルフスイング矯正装置として使用できる。
【０１０６】
また、ゴルフスイング矯正装置１Ｄを使用する際のゴルファーの動きは、図２（ａ），（ｂ），（ｃ）に示す、前記した第１の実施例のゴルフスイング矯正装置１Ａを使用する際のゴルファーの動きと全く同じであるので、その重複する説明は省略する。
【０１０７】
また、ゴルフスイング矯正装置１Ｄには、習熟度の異なる全てのゴルファーのニーズに応えるべく、ばね定数の異なる引張コイルばね３０ａ，３０ｂ，３０ｃをそれぞれ装着した、上級者用，中級者用および初心者用の３種類の仕様が用意されていることも、前記した第１，第２，第３の実施例の場合と同じである。
【０１０８】
なお、前記した第１，第２，第３の実施例では、ベースプレート１０Ａ，１０Ｂ，１０Ｃを合板（木質ボード）で構成しているが、その素材は、合板（木質ボード）に限るものではなく、合板（木質ボード）と同程度の重量の合成樹脂や軽量金属で構成してもよい。
【０１０９】
また、前記した第３，第４の実施例では、フック３６をラッチ３７付フックとして説明しているが、ラッチ３７の付いていないフックであってもよい。
【０１１０】
また、前記した実施例では、いずれも右利きのゴルファーを対象とするゴルフスイング矯正装置について説明したが、左利きのゴルファーについても使用できることはいうまでもない。
【符号の説明】
【０１１１】
１Ａ，１Ｂ，１Ｃ，１Ｄ  ゴルフスイング矯正装置
１０Ａ，１０Ｂ，１０Ｃ  ベースプレート
１２  ベースプレート底面に設けた突起
１１  杭
１３  貫通孔
１６  留め金具
１６ｂ  留め輪
２０  滑車
２２  滑車のフレーム
２４  滑車本体である円盤状回転輪
２６  留め環
３０（３０ａ，３０ｂ，３０ｃ）  引張りコイルばね
３６  フック
３７  ラッチ
Ｕ  滑車・ばねユニット
４０  ロープ
１１０，１２０  ベースプレートを構成する足載置プレート
１３０  枢着軸
１４０  スタンス幅調整機構
１４２  ピン支点
１４４  長尺フック
１４５，１４５ａ  切欠
１４６，１４６ａ  雄ねじ部
１４７，１４７ａ  蝶ナット
【図１】
0003212056.tif 000003
【図２】
0003212056.tif 000004
【図３】
0003212056.tif 000005
【図４】
0003212056.tif 000006
【図５】
0003212056.tif 000007
【図６】
0003212056.tif 000008
【図７】
0003212056.tif 000009
【図８】
0003212056.tif 000010